【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
通信インターフェースを備える受信機デバイス上のデジタルブロードキャストのリアルタイムプレイバックを容易にするための方法であって、
前記デジタルブロードキャストのメディアパケットのストリームを、前記メディアパケットのストリームが前記受信機デバイスによって受信されたときを示すシステムタイムクロック(STC)タイムスタンプに関連付けるステップと、
前記メディアパケットのストリームを前記STCタイムスタンプに関連付けたことに続いて、前記メディアパケットのストリームを前記受信機デバイスの一時バッファ内に記憶するステップであって、前記一時バッファは前記メディアパケットのストリームを一時的に記憶するように構成される、ステップと、
前記受信機デバイスの前記一時バッファに対するパケットバーストしきい値に到達したかどうかを決定するステップであって、前記パケットバーストしきい値が時間しきい値およびサイズしきい値のうちの1つである、決定するステップと、
前記受信機デバイスの前記一時バッファに対する前記パケットバーストしきい値に到達したと決定することに応答して、前記受信機デバイスに結合された限定アクセスモジュールを、第1の低電力モード以外の第1の動作モードで動作するように構成するステップであって、前記構成するステップが、前記受信機デバイスから送信された信号によるものである、構成するステップと、
前記受信機デバイスの前記一時バッファに対する前記パケットバーストしきい値に到達したと決定することに応答して、メディアパケットのバーストを前記受信機デバイスの前記一時バッファから、前記限定アクセスモジュールに、第2の低電力モード以外の第2の動作モードの前記通信インターフェースを介して、前記限定アクセスモジュールが前記第1の動作モードにある間に送信するステップとを含み、
前記通信インターフェースが、メディアパケットのバーストを送信しないときに、前記第2の低電力モードで動作する、方法。
【請求項２】
前記受信機デバイスの前記一時バッファに対する前記パケットバーストしきい値に到達したと決定することに応答して、メディアパケットのバーストを前記受信機デバイスの前記一時バッファから、前記限定アクセスモジュールに、前記第2の低電力モード以外の前記第2の動作モードの前記通信インターフェースを介して、前記限定アクセスモジュールが前記第1の動作モードにある間に送信するステップが、前記受信機デバイスの前記一時バッファに対する前記パケットバーストしきい値に到達したと決定することに応答して、メディアパケットのバーストを前記受信機デバイスの前記一時バッファから、前記限定アクセスモジュールに、第1の高電力モードの前記通信インターフェースを介して、前記限定アクセスモジュールが第2の高電力モードにある間にトランスポートストリーム上で送信するステップを含む、請求項1に記載の方法。
【請求項３】
前記トランスポートストリームが、時限MPEG2トランスポートストリームである、請求項2に記載の方法。
【請求項４】
前記受信機デバイスの前記一時バッファに対するパケットバーストしきい値に到達したかどうかを決定するステップが、前記限定アクセスモジュールからのシグナリングおよび前記受信機デバイス上で動作するデコーダからのシグナリングのうちの少なくとも1つに基づいて、前記受信機デバイスの前記一時バッファに対する前記パケットバーストしきい値に到達したかどうかを決定するステップを含む、請求項1に記載の方法。
【請求項５】
前記通信インターフェースを介して前記限定アクセスモジュールからデスクランブルされたトランスポートストリームパケットを受信するステップと、
送信機によって前記メディアパケットと関連付けられたプログラムクロックリファレンス(PCR)タイムスタンプと前記メディアパケットのストリームが前記受信機デバイスによって受信されたときを示す前記STCタイムスタンプとの間の差に基づいて、前記デスクランブルされたトランスポートストリームパケットが復号される時間を調整するステップと、
前記調整された時間に基づいて再生のために前記デスクランブルされたトランスポートストリームパケットを復号するステップと、
前記復号されたトランスポートストリームパケットを出力するステップとをさらに含む、請求項1に記載の方法。
【請求項６】
前記限定アクセスモジュールを、前記デスクランブルされたトランスポートストリームパケットを受信した後に前記第1の低電力モードで動作するように構成するステップをさらに含む、請求項5に記載の方法。
【請求項７】
前記通信インターフェースが、USB2.0インターフェース、USB3.0インターフェース、USB3.1インターフェース、PCIeインターフェース、HSICインターフェース、またはSSICインターフェースのうちの1つである、請求項1に記載の方法。
【請求項８】
受信機デバイスのプロセッサに動作を実行させるように構成されたプロセッサ実行可能命令を記憶した非一時的プロセッサ可読記憶媒体であって、前記動作が、
デジタルブロードキャストのメディアパケットのストリームを、前記メディアパケットのストリームが受信機デバイスによって受信されたときを示すシステムタイムクロック(STC)タイムスタンプに関連付けるステップと、
前記メディアパケットのストリームを前記STCタイムスタンプに関連付けたことに続いて、前記メディアパケットのストリームを前記受信機デバイスの一時バッファ内に記憶するステップであって、前記一時バッファは前記メディアパケットのストリームを一時的に記憶するように構成される、ステップと、
前記受信機デバイスの前記一時バッファに対するパケットバーストしきい値に到達したかどうかを決定するステップであって、前記パケットバーストしきい値が時間しきい値およびサイズしきい値のうちの1つである、決定するステップと、
前記受信機デバイスの前記一時バッファに対する前記パケットバーストしきい値に到達したと決定することに応答して、前記受信機デバイスに結合された限定アクセスモジュールを、第1の低電力モード以外の第1の動作モードで動作するように構成するステップであって、前記構成するステップが、前記受信機デバイスから送信された信号によるものである、構成するステップと、
前記パケットバーストしきい値に到達したと決定することに応答して、メディアパケットのバーストを前記受信機デバイスの前記一時バッファから、前記限定アクセスモジュールに、第2の低電力モード以外の第2の動作モードの前記通信インターフェースを介して、前記限定アクセスモジュールが前記第1の動作モードにある間に送信するステップと、
を含み、
前記通信インターフェースが、メディアパケットのバーストを送信しないときに、第2の低電力モードで動作する、非一時的プロセッサ可読記憶媒体。
【請求項９】
通信インターフェースと、
前記通信インターフェースに接続された一時バッファと、
デジタルブロードキャストのメディアパケットのストリームを、前記メディアパケットのストリームが受信機デバイスによって受信されたときを示すシステムタイムクロック(STC)タイムスタンプに関連付けるための手段と、
前記メディアパケットのストリームを前記STCタイムスタンプに関連付けたことに続いて、前記メディアパケットのストリームを前記受信機デバイスの前記一時バッファ内に記憶するための手段であって、前記一時バッファは前記メディアパケットのストリームを一時的に記憶するように構成される、手段と、
前記受信機デバイスの前記一時バッファに対するパケットバーストしきい値に到達したかどうかを決定するための手段であって、前記パケットバーストしきい値が時間しきい値およびサイズしきい値のうちの1つである、決定するための手段と、
前記受信機デバイスの前記一時バッファに対する前記パケットバーストしきい値に到達したと決定することに応答して、前記受信機デバイスに結合された限定アクセスモジュールを、第1の低電力モード以外の第1の動作モードで動作するように構成するための手段であって、前記構成することが、前記受信機デバイスから送信された信号によるものである、構成するための手段と、
前記受信機デバイスの前記一時バッファに対する前記パケットバーストしきい値に到達したと決定することに応答して、メディアパケットのバーストを前記受信機デバイスの前記一時バッファから、前記限定アクセスモジュールに、第2の低電力モード以外の第2の動作モードの前記通信インターフェースを介して、前記限定アクセスモジュールが前記第1の動作モードにある間に送信するための手段とを含み、
前記通信インターフェースが、メディアパケットのバーストを送信しないときに、前記第2の低電力モードで動作する、受信機デバイス。
【請求項１０】
前記受信機デバイスの前記一時バッファに対する前記パケットバーストしきい値に到達したと決定することに応答して、メディアパケットのバーストを前記受信機デバイスの前記一時バッファから、前記限定アクセスモジュールに、前記第2の低電力モード以外の前記第2の動作モードの前記通信インターフェースを介して、前記限定アクセスモジュールが前記第1の動作モードにある間に送信するための手段が、前記受信機デバイスの前記一時バッファに対する前記パケットバーストしきい値に到達したと決定することに応答して、メディアパケットのバーストを前記受信機デバイスの前記一時バッファから、前記限定アクセスモジュールに、第1の高電力モードの前記通信インターフェースを介して、前記限定アクセスモジュールが第2の高電力モードにある間にトランスポートストリーム上で送信するための手段を含む、請求項9に記載の受信機デバイス。
【請求項１１】
前記トランスポートストリームが、時限MPEG2トランスポートストリームである、請求項10に記載の受信機デバイス。
【請求項１２】
前記受信機デバイスの前記一時バッファに対するパケットバーストしきい値に到達したかどうかを決定するための手段が、前記限定アクセスモジュールからのシグナリングおよび前記受信機デバイス上で動作するデコーダからのシグナリングのうちの少なくとも1つに基づいて、前記受信機デバイスの前記一時バッファに対する前記パケットバーストしきい値に到達したかどうかを決定するための手段を含む、請求項9に記載の受信機デバイス。
【請求項１３】
前記通信インターフェースが、USB2.0インターフェース、USB3.0インターフェース、USB3.1インターフェース、PCIeインターフェース、HSICインターフェース、またはSSICインターフェースのうちの1つである、請求項9に記載の受信機デバイス。